(57)【特許請求の範囲】
【請求項１】
利用者の身体をマッサ−ジするためのマッサ−ジ装置において、
中空状に形成された本体と、
この本体の上部壁に所定の間隔で開口形成された一対のガイド溝と、
各ガイド溝にそれぞれ複数づつ設けられそのガイド溝に沿って移動可能かつ所定の移動位置で弾性的に移動不能に保持されるマッサ−ジ体と、
上記本体内に設けられこの本体とともに上記マッサ−ジ体を振動させるバイブレ−タとを具備し、
上記マッサ−ジ体は、上面が開口し底部に通孔が穿設された有底状の取付け部を有する受け体と、下面に開口した収容部が形成され上記取付け部に下端側が取付け固定される第１の突起体と、この第１の突起体の収容部に収容されたばねと、上記通孔から下端部を突出させて上記収容部に上記ばねにより弾性的に保持されて収容されその下端部には上記受け体の下面とで上記本体の上部壁の上下面を弾性的に挟持する鍔部が形成された軸状体とから構成され、
上記ガイド溝の端部には、上記鍔部よりも大径で、上記マッサ−ジ体を上記ガイド溝に着脱するための着脱孔が形成されていることを特徴とするマッサ−ジ装置。
【請求項２】
上記一対のガイド溝は非平行状態に形成されていることを特徴とする請求項１記載のマッサ−ジ装置。
【請求項３】
上記マッサ−ジ体は、上記ガイド溝に着脱自在に設けられていることを特徴とする請求項１記載のマッサ−ジ装置。
【請求項４】
上記マッサ−ジ体の下面と、上記本体の上部壁上面の上記ガイド溝の両側とには、互いに弾性的に係合して上記マッサ−ジ体の移動を阻止する凹凸部がそれぞれ形成されていることを特徴とする請求項１記載のマッサ−ジ装置。
【請求項５】
上記本体の両側部には、利用者がこの本体を持つための手掛け部が形成されていることを特徴とする請求項１記載のマッサ−ジ装置。
【請求項６】
上記本体の下面には複数の第２の突起体が設けられていることを特徴とする請求項１または請求項３または請求項４のいずれかに記載のマッサ−ジ装置。
【発明の詳細な説明】
【０００１】
【発明の属する技術分野】
この発明は利用者の身体にマッサ−ジ体を押し当てるとともに、そのマッサ−ジ体に振動を付与して利用者をマッサ−ジするためのマッサ−ジ装置に関する。
【０００２】
【従来の技術】
マッサ−ジ装置には種々のタイプのものがあり、その１つにマッサ−ジ体を利用者の身体に押し当てながら振動を付与することで、利用者の身体をマッサ−ジするマッサ−ジ装置が知られている。このようなマッサ−ジ装置は、とくに利用者の頸部、肩部あるいは背部などをマッサ−ジするのに好適している。
【０００３】
従来のこの種のマッサ−ジ装置は本体を有し、この本体の上面には一対のマッサ−ジ体が所定の間隔で固定して設けられている。上記本体の内部にはバイブレ−タが設けられ、このバイブレ−タを作動させることで、上記本体とともに上記マッサ−ジ体に振動を付与することができるようになっている。
【０００４】
したがって、上記バイブレ−タを作動させるとともに、マッサ−ジ体に利用者の身体の所定の部位を押し当てることで、利用者は所定の部位にマッサ−ジを受けることができる。
【０００５】
しかしながら、本体の上面に一対のマッサ−ジ体を所定の間隔で固定して設ける構成であると、一対のマッサ−ジ体の配置状態によってマッサ−ジを受けることができる状態も制限されてしまうから、利用者は所望する部位に快適なマッサ−ジを受けることができないということがあった。
【０００６】
また、一対のマッサ−ジ体の間隔が一定であると、たとえば利用者が頸部と肩部とを同じマッサ−ジ装置でマッサ−ジを受ける場合、一対のマッサ−ジ体の間隔が肩部には丁度よくても、頸部では広すぎて快適なマッサ−ジ効果が得られないということがある。
【０００７】
しかも、利用者が変われば、その利用者の体格やマッサ−ジを受ける部位などによって最適なマッサ−ジ体の配置状態が異なるから、一対のマッサ−ジ体が所定の間隔で固定して設けられた従来のマッサ−ジ装置では利用者がマッサ−ジを快適に受けることができないということがあった。
【０００８】
【発明が解決しようとする課題】
このように、従来のマッサ−ジ装置は、本体に一対のマッサ−ジ体が所定の間隔で固定して設けられた構成であったので、利用者がマッサ−ジを受けたい部位や体格などに応じてマッサ−ジ体の配置状態や数などを変え、所望する部位に快適なマッサ−ジを受けるということができなかった。
【０００９】
この発明は上記事情に基づきなされたもので、その目的とするところは、マッサ−ジを受ける部位や利用者の体格などによってマッサ−ジ体の配置状態や数などを変え、マッサ−ジを効果的に受けることができるようにしたマッサ−ジ装置を提供することにある。
【００１０】
【課題を解決するための手段】
請求項１の発明は、利用者の身体をマッサ−ジするためのマッサ−ジ装置において、
中空状に形成された本体と、
この本体の上部壁に所定の間隔で開口形成された一対のガイド溝と、
各ガイド溝にそれぞれ複数づつ設けられそのガイド溝に沿って移動可能かつ所定の移動位置で弾性的に移動不能に保持されるマッサ−ジ体と、
上記本体内に設けられこの本体とともに上記マッサ−ジ体を振動させるバイブレ−タとを具備し、
上記マッサ−ジ体は、上面が開口し底部に通孔が穿設された有底状の取付け部を有する受け体と、下面に開口した収容部が形成され上記取付け部に下端側が取付け固定される第１の突起体と、この第１の突起体の収容部に収容されたばねと、上記通孔から下端部を突出させて上記収容部に上記ばねにより弾性的に保持されて収容されその下端部には上記受け体の下面とで上記本体の上部壁の上下面を弾性的に挟持する鍔部が形成された軸状体とから構成され、
上記ガイド溝の端部には、上記鍔部よりも大径で、上記マッサ−ジ体を上記ガイド溝に着脱するための着脱孔が形成されていることを特徴とする。
【００１１】
請求項２の発明は、請求項１の発明において、上記一対のガイド溝は非平行状態に形成されていることを特徴とする。
請求項３の発明は、請求項１の発明において、上記マッサ−ジ体は、上記ガイド溝に着脱自在に設けられていることを特徴とする。
【００１２】
請求項４の発明は、請求項１の発明において、上記マッサ−ジ体の下面と、上記本体の上部壁上面の上記ガイド溝の両側とには、互いに弾性的に係合して上記マッサ−ジ体の移動を阻止する凹凸部がそれぞれ形成されていることを特徴とする。
【００１４】
請求項５の発明は、請求項１の発明において、上記本体の両側部には、利用者がこの本体を持つための手掛け部が形成されていることを特徴とする。
請求項６の発明は、請求項１または請求項３または請求項４のいずれかに記載の発明において、上記本体の下面には複数の第２の突起が設けられていることを特徴とする。
【００１５】
請求項１の発明によれば、一対のガイド溝にそれぞれ複数のマッサ−ジ体を所定の位置で弾性的に保持できるよう移動可能に設けたことで、利用者がマッサ−ジを受けたい部位に応じて複数のマッサ−ジ体の配置状態を変えることができる。
また、軸状体の鍔部をガイド溝の端部に形成された着脱孔から上記ガイド溝に対して着脱できるから、本体に設けられるマッサ−ジ体の数を変えることができ、しかも第１の突起体を弾性的に保持するためのばねをこの第１の突起体に形成した収容部に収容したことで、ばねを外部に設ける場合に比べて本体を薄型化することが可能となる。
【００１６】
請求項２の発明によれば、一対のガイド溝を非平行状態に形成したことで、マッサ−ジ体をガイド溝に沿って移動させれば、各ガイド溝に設けられたマッサ−ジ体の間隔を変えることができる。
【００１７】
請求項３の発明によれば、マッサ−ジ体をガイド溝に対して着脱することができるから、本体に設けられるマッサ−ジ体の数を変えることができる。
請求項４の発明によれば、マッサ−ジ体の下面とガイド溝の両側とにそれぞれ互いに弾性的に係合する凹凸部を形成したことで、これら凹凸部の係合を外すことでマッサ−ジ体をガイド溝に沿って移動させることができ、互いの凹凸部を係合させることで、マッサ−ジ体を使用中にずれ動くようなことなく、所定の位置で確実に位置決め保持できる。
【００１９】
請求項５の発明によれば、本体の両側部に手掛け部を設けたことで、この手掛け部を持って本体を利用者の身体に強く押し付け、マッサ−ジ効果を高めることができる。
【００２０】
請求項６の発明によれば、本体の下面に複数の第２の突起を設けたことで、この突起によっても利用者はマッサ−ジを受けることができ、しかも本体の上面側に設けられたマッサ−ジ体を取り外すことで、安定性のよい状態で下面に設けられた第２の突起体によってマッサ−ジを受けることができる。
【００２１】
【発明の実施の形態】
以下、この発明の実施の形態を図面を参照して説明する。
図１乃至図１０はこの発明のマッサ−ジ装置Ｍの第１の実施の形態を示す。図１と図２は上記マッサ−ジ装置Ｍの斜視図で、このマッサ−ジ装置Ｍは本体１を備えている。この本体１は下面が開放した上ケ−ス２と、この上ケ−ス２の下面開口に接合固定される下ケ−ス３とからなる。
【００２２】
上記下ケ−ス３の中央部分には図５に示すように一対の支持板４が前後方向に所定の間隔で立設され、これら支持板４にはバイブレ−タ５が保持されている。このバイブレ−タ５は２軸モ−タ６と、この２軸モ−タ６の回転軸にそれぞれ偏心して取付けられたおもり７とからなり、そのおもり７が偏心回転されることで振動が発生するようになっている。
【００２３】
上記バイブレ−タ５の両側には乾電池８が配置されている。これら乾電池８は上記上ケ−ス２の前面に露出したスイッチ９（図１に示す）に第１のリ−ド線１１によって電気的に接続されている。上記スイッチ９は下ケ−ス３に立設された取付板１２に取付けられている。このスイッチ９と上記バイブレ−タ５とは第２のリ−ド線１３によって電気的に接続されている。したがって、上記スイッチ９をオンにすれば、上記バイブレ−タ５を作動させることができるようになっている。
【００２４】
上記バイブレ−タ５には第３のリ−ド線１４が上記第２のリ−ド線１３とスイッチ９とを介して電気的に接続されている。この第３のリ−ド線１４の先端にはジャック１５が設けられる。このジャック１５は図２に示すように上記本体１の外面に露出して設けられ、このジャック１５には図示しないＡＣアダプタが接続されるようになっている。したがって、上記ジャック１５にＡＣアダプタを接続した状態で上記スイッチ９をオンにすれば、上記バイブレ−タ５を作動させることができる。つまり、バイブレ−タ５は直流および家庭用交流のどちらでも作動させることができるようになっている。
【００２５】
なお、上記乾電池８は上記下ケ−ス３に形成された図示しない収容部に着脱自在に収容保持されている。上記バイブレ−タ５は、下ケ−ス３と上ケ−ス２とを図２と図４に示すねじ１０によって接合固定すると、この上ケ−ス２によって本体１内でがた付くことなく保持固定されるようになっている。
【００２６】
上記本体１の両側部には上ケ−ス２と下ケ−ス３とを貫通した手掛け部１６が形成されている。図１に示すように上ケ−ス２の手掛け部１６が形成された幅方向両側部は中央部分に比べて高さ寸法が低く形成されている。それによって、利用者は上記手掛け部１６を把持し易くなっている。さらに、したケ−ス３の手掛け部１６の部分には滑り止め用の小さな多数の突起１６ａが一体成形されている。
【００２７】
上記上ケ−ス２の中央部分には一対のガイド溝１７が非平行状態、つまり一端側よりも他端側の間隔が狭くなるようほぼ八の字状に状態に形成されている。上記筐体２の上面で、各ガイド溝１７の両側にはそれぞれ第１の凹凸部としての複数の凹部１８が一定間隔で形成されている。また、各ガイド溝１７の一端には図３に示すようにガイド溝１７の幅寸法よりも大径な着脱孔１７ａが形成されている。この着脱孔１７ａの周辺部は、本体１の上壁部の他の部分よりも薄肉に形成されている。
【００２８】
各ガイド溝１７にはそれぞれ一対のマッサ−ジ体２０がスライド自在に設けられている。このマッサ−ジ体２０は図６乃至図８に示すように受け体１９を有する。この受け体１９には上面に開口した有底凹状の取付け部２１が形成され、この取付け部２１の底部には通孔２２が穿設されている。さらに、受け体１９の外周面には平坦な把持面１９ａが形成されている。
【００２９】
上記取付け部２１には第１の突起体２３が下側の約半部を嵌合させ、図示しない接着剤によって固定されている。この第１の突起体２３はゴムや合成樹脂などの弾性材料で成形されていて、上端面は球形状の曲面２４に形成されているとともに、上記取付け部２１に嵌合された部分には下面に開放した収容部２５が形成されている。
【００３０】
上記収容部２５には円筒コイル状のばね２６が収容され、このばね２６には軸状体２７が弾性的に保持されている。この軸状体２７は、図６と図１０に示すように上端にＩ字状の係合部２８が形成され、下端には上記ガイド溝１７の端部に形成された着脱孔１７ａよりもわずかに小径で、ガイド溝１７の幅寸法よりも大径な鍔部２９が形成されている。さらに、軸状体２７は下端から上端にゆくにつれて段階的に小径に形成されている。
【００３１】
上記軸状体２７の上端部にはストッパ３１が設けられている。このストッパ３１は、上記軸状体２７の上部が通される通孔３２が穿設され、この通孔３２には径方向に沿って第１の溝３３と第２の溝３４とが十字状に交差して形成されている。第１の溝３３はストッパ３１の厚さ方向に貫通し、第２の溝３４には中途部に上記係合部２８が係合してストッパ３１が軸状体２７から抜け出るのを防止する段部３５が形成されている。
【００３２】
上記マッサ−ジ体１８は図９（ａ）〜（ｃ）で示す手順で組み立てられる。まず、受け体１９に第１の突起体２３を取付ける前に、受け体１９の通孔２２から軸状体２７を挿通する。この軸状体２７の、上記受け体１９の取付け部２１内に突出した部分には上記ばね２６を装着し、ついで軸状体２７の上端部にはストッパ３１を取付ける。
【００３３】
上記ストッパ３１を取付けるには、まず、図９（ａ）に示すようにストッパ３１の第１の溝３３を軸状体２７の上端部に形成された係合部２８に合わせ、ばね２６を圧縮させながらストッパ３１を押し込む。図９（ｂ）に示すように、上記ストッパ３１を上記軸状体２７の係合部２８よりも下方まで押し込んだなら、このストッパ３１を約９０度回転させて第２の溝３４の方向と上記係合部２８の方向とを合わせる。
【００３４】
ついで、図９（ｃ）に示すようにストッパ３１に加えた付勢力を解除すれば、このストッパ３１がばね２６の付勢力によって上昇するが、その段部３５が係合部２８に係合するから、ストッパ３１が軸状体２７から抜出するのが阻止される。それによって、軸状体２７は上記ばね２６によって受け体１９に弾性的に変位自在に保持される。
【００３５】
受け体１９に軸状体２７を保持したならば、この受け体１９の取付け部２１に第１の突起体２３の下端部を嵌め込んで接着固定することで、マッサ−ジ体２０が形成される。
【００３６】
上記マッサ−ジ体２０の受け体１９の底面には、図８に示すように上記ガイド溝１７にスライド自在に係合する一対のスライド突起４１と、上記ガイド溝１７の両側に形成された凹部１８に係合する第２の凹凸部としての係合突起４２とが形成されている。
【００３７】
それによって、上記マッサ−ジ体２０は、上記ガイド溝１７にスライド自在に設けられているとともに、上記係合突起２８が凹部１８にばね２６の付勢力によって弾性的に係合することで、上記ガイド溝１７の所定の位置にスライド不能に位置決め保持される。
【００３８】
上記係合突起２８と凹部１８との係合状態は、上記マッサ−ジ体２０を上記ばね２６の付勢力に抗して図６に矢印で示す上昇方向へ変位させることで解除でき、解除した状態で上記マッサ−ジ体１５を上記ガイド溝１３に沿ってスライドさせることができる。
【００３９】
上記マッサ−ジ体１５は上記ガイド溝１７の一端に形成された着脱孔１７ａによって本体１に対して着脱できるようになっている。マッサ−ジ体１５をガイド溝１７に取付ける場合には、軸状体２７の鍔部２９を着脱孔１７ａに挿入し、この鍔部２９を着脱孔１７ａの周辺部の本体１の上部壁に係合させる。ついで、マッサ−ジ体１５をばね２６の付勢力に抗して弾性的に持ち上げながら上記鍔部２９が着脱孔１７ａからガイド溝１７に沿ってスライドさせれば、このマッサ−ジ体１５をガイド溝１７に取付けることができる。
【００４０】
マッサ−ジ体１５をガイド溝１７から取り外す場合には、マッサ−ジ体１５をばね２６の付勢力に抗して持ち上げ、受け体１９の下面に形成された係合突起４２とガイド溝１７の両側に形成された凹部１８との係合状態を外す。その状態でマッサ−ジ体１５をスライドさせ、鍔部１９を着脱孔１７ａのところに位置させることで、マッサ−ジ体１５をガイド溝１７から取り外すことができる。
【００４１】
上記本体１の下面、つまり下ケ−ス３の外底面には図４に示すように上記第１の突起体２３に比べて十分に小さい半球形状の多数の第２の突起体４２が一体成形されている。この第２の突起体４２は、バイブレ−タ５を作動させて本体１を振動させることで、この本体１と一緒に振動するから、そこに身体の一部を押し当てることで、その部分をマッサ−ジできるようになっている。
【００４２】
さらに、下ケ−ス３の外底面周辺部の４箇所には脚部材４３が設けられている。この脚部材４３は、ゴムなどの弾性材料で作られ、本体１とともに振動する。したがって、第２の突起体４２と同様、利用者にマッサ−ジ作用を与えることができるよういなっている。
【００４３】
上記構成のマッサ−ジ装置によれば、本体１内に設けられたバイブレ−タ５に通電して２軸モ−タ６を作動させると、おもり７が偏心回転することで、本体１全体が振動する。したがって、その状態で上記本体１の上面に設けられたマッサ−ジ体１５を利用者の身体に押し当てれば、振動するマッサ−ジ体１５によって利用者をマッサ−ジすることができる。
【００４４】
利用者は身体のどの部位にマッサ−ジを受けるかによってマッサ−ジ体１５の間隔を変えたい場合がある。そのような場合には、マッサ−ジ体１５をガイド溝１３に沿ってスライドさせる。一対のガイド溝１３は非平行状態に形成されている。そのため、上記マッサ−ジ体１５をスライドさせることで、左右一対のマッサ−ジ体２０の間隔を利用者がマッサ−ジを受けたい部位に応じて調整することができる。
【００４５】
上記マッサ−ジ体２０はばね２２によって弾性的に保持されている。そのため、マッサ−ジ体２０はその受け体１９に形成された把持面１９ａを持ち、上記ばね２２の付勢力に抗して持ち上げ、係合突起４２と凹部１８との係合を外すことで、ガイド溝１７に沿って移動させることができるから、利用者の好みに応じた間隔に容易に変更することができる。
【００４６】
所定の位置に位置決めされたマッサ−ジ体２０は、その底面の係合突起２６がガイド溝１７の両側の凹部１８にばね２６の付勢力によって弾性的に係合している。そのため、上記マッサ−ジ体２０は使用中にずれ動くことがないから、快適な使用状態を確実に維持することができる。
【００４７】
上記マッサ−ジ体２０をガイド溝１７に弾性的に保持するためのばね２６を、第１の突起体２３に形成された収容部２５に収容するようにした。そのため、ばね２６を受け体１９の下面側に設ける場合に比べて高さ寸法を小さくできるから、その分、本体１を薄型化することが可能となる。
【００４８】
上記マッサ−ジ体２０はガイド溝１７に対して着脱自在である。そのため、各ガイド溝１７に設けられるマッサ−ジ体２０の数を変えることができる。たとえば、各ガイド溝１７にそれぞれ２つのマッサ−ジ体２０が設けられている場合には、図１１（ａ）に示すように椅子５１に座った利用者Ｕがマッサ−ジ装置Ｍを腰部に当てたり、図１１（ｂ）に示すように仰臥した状態で腰部に当てるなどして利用することができる。
【００４９】
さらに、図１１（ｃ）に示すように、マッサ−ジ装置Ｍは本体１の両側の手掛け部１６を持って利用者Ｕの肩部に押し当てたり、図１１（ｄ）に示すように補助者Ｈが利用者Ｕの背部に押し当てるなどして利用することができる。
【００５０】
本体１の各ガイド溝１７に設けられるマッサ−ジ体２０の数をそれぞれ１つにすると、一対のマッサ−ジ体２０を図１１（ｅ）に示すように仰臥した利用者Ｕの頸部に当ててマッサ−ジを受けることができる。そのとき、各マッサ−ジ体２０をガイド溝１７に沿って移動させ、一対のマッサ−ジ体２０の間隔を利用者Ｕの頸部の太さに応じて調整すれば、利用者Ｕは快適な状態でマッサ−ジを受けることができる。
【００５１】
また、各ガイド溝１７に１つずつのマッサ−ジ体２０を設けた状態で、本体１を上下逆にし、下面を上側にして設置すると、図１１（ｆ）に示すように本体１は上側に位置する下面が傾斜した状態となる。したがって、その状態で椅子５１に着座した利用者Ｕが上記本体１の下面に足の裏を当てれば、その足の裏を第２の突起体４２によってマッサ−ジすることができる。
【００５２】
利用者Ｕが足の裏の、たとえば土踏まずの部分に強いマッサ−ジを受けたい場合がある。そのような場合には、足の裏の土踏まずの部分を第２の突起体４２よりも大きな脚部材４３に押し当てることで、その土踏まずの部分に第２の突起体４２に比べて強いマッサ−ジを受けることができる。
【００５３】
利用者Ｕが腰部に、図１１（ｂ）のようにマッサ−ジ体２０によって局部的なマッサ−ジでなく、全体的にマッサ−ジを受けたい場合には、一対のガイド溝１７からそれぞれマッサ−ジ体２０を取り外す。そして、本体１を、下面を上側にして仰臥した利用者Ｕの腰部に当てれば、第１の突起体２３に比べて十分に小さな第２の突起体４２と脚部材４３とで利用者Ｕをマッサ−ジすることができるから、利用者Ｕの腰部に緩やかなマッサ−ジを与えることができる。
【００５４】
マッサ−ジ体２０を取り外した本体１は偏平状であるから、この本体１を仰臥した利用者Ｕの腰部に入れても、腰部が大きく持ち上げられることがないから、利用者Ｕに与える負担が小さな状態で、腰部をマッサ−ジすることができる。
【００５５】
このように、本体１の一対のガイド溝１７に設けられたマッサ−ジ体２０の数や間隔を種々の利用形態に応じて変えることができるため、利用者Ｕはそれぞれの利用形態に応じて快適にマッサ−ジを受けることができる。
【００５６】
図１２（ａ）、（ｂ）はこの発明の第２の実施の形態を示す。すなわち、図１１（ａ）、（ｂ）に示す実施の形態は本体の変形例で、同図（ａ）は本体１Ａの筐体２Ａの上面をガイド溝１７の方向に沿って傾斜させた傾斜面２Ｂに形成したもので、同図（ｂ）は本体１の上面をガイド溝１７の方向に沿って凸状に湾曲した湾曲面２Ｃに形成したものである。
【００５７】
本体１の上面を傾斜面２Ｂあるいは湾曲面２Ｃとすることで、利用者は背部や腰部などに快適な状態でのマッサ−ジを受けることができる。
上記第１の実施形態では１つのガイド溝１７に２つのマッサ−ジ体２０を設け、第２の実施形態では３つのマッサ−ジ体２０を設けるようにしている。しかしながら、１つのガイド溝１７に設けられるマッサ−ジ体２０の数はなんら限定されるものでない。
【００５８】
また、マッサ−ジ体２０の底面に係合突起４２を設け、本体１の上面に凹部１８を設けたが、逆に設けるようにしてもよく、要はマッサ−ジ体１５の底面と本体１の上面とに互いに係合する凹凸部が形成されていればよい。
【００５９】
【発明の効果】
請求項１の発明によれば、一対のガイド溝にそれぞれ複数のマッサ−ジ体を所定の位置で弾性的に保持できるよう移動可能に設けたことで、利用者がマッサ−ジを受けたい部位に応じて複数のマッサ−ジ体の配置状態を変えることができる。
また、軸状体の鍔部をガイド溝の端部に形成された着脱孔から上記ガイド溝に対して着脱できるから、本体に設けられるマッサ−ジ体の数を変えることができる。
しかも、第１の突起体を弾性的に保持するためのばねをこの第１の突起体に形成した収容部に収容したから、ばねを外部に設ける場合に比べて本体を薄型化することが可能となる。
【００６０】
請求項２の発明によれば、一対のガイド溝を非平行状態に形成したことで、マッサ−ジ体をガイド溝に沿って移動させれば、各ガイド溝に設けられたマッサ−ジ体の間隔を変えることができるから、そのことによっても、利用者はマッサ−ジを受けたい部位に応じてマッサ−ジ体の配置状態を変えることができる。
【００６１】
請求項３の発明によれば、マッサ−ジ体をガイド溝に対して着脱することができるから、利用者がマッサ−ジを受けたい部位などに応じて本体に設けられるマッサ−ジ体の数を変えることができる。
【００６２】
請求項４の発明によれば、マッサ−ジ体の下面とガイド溝の両側とにそれぞれ互いに弾性的に係合する凹凸部を形成したことで、これら凹凸部の係合を外すことでマッサ−ジ体をガイド溝に沿って移動させることができ、また互いの凹凸部を係合させることで、マッサ−ジ体を使用中にずれ動くようなことなく、所定の位置で確実に位置決め保持できる。
【００６３】
したがって、マッサ−ジ体が移動自在に設けられていても、利用者がマッサ−ジを受けている最中に、マッサ−ジ体がずれ動くことがないから、所定の配置状態のマッサ−ジ体によって確実にマッサ−ジを受けることができる。
【００６６】
請求項５の発明によれば、本体の両側部に手掛け部を設けたから、マッサ−ジを受けるときに、この手掛け部を持って本体を利用者の身体に強く押し付け、マッサ−ジ効果を高めることができる。
【００６７】
請求項６の発明によれば、本体の下面に複数の第２の突起体を設けたことで、この突起体によっても利用者はマッサ−ジを受けることができ、しかも本体の上面側に設けられたマッサ−ジ体を取り外すことで、安定性のよい状態で下面に設けられた第２の突起体によってマッサ−ジを受けることができる。
【図面の簡単な説明】
【図１】この発明の第１の実施の形態を示す本体の斜視図。
【図２】同じく本体の下面側を示す斜視図。
【図３】同じくマッサ−ジ体を取り除いた本体の上面側の平面図。
【図４】同じく本体の下面側の平面図。
【図５】同じく本体の下ケ−スの斜視図。
【図６】同じくマッサ−ジ体の取付け状態の断面図。
【図７】同じくマッサ−ジ体の分解図。
【図８】同じくマッサ−ジ体の下面側を示す斜視図。
【図９】同じく軸状体を受け体に組み付ける手順の説明図。
【図１０】同じく軸状体とストッパとの斜視図。
【図１１】使用形態の説明図。
【図１２】（ａ）、（ｂ）はこの発明の第２の実施の形態を示す本体の側断面図。
【符号の説明】
１…本体
５…バイブレ−タ
１７…ガイド溝
１７ａ…着脱孔
１８…凹部（凹凸部）
１９…受け体
２０…マッサ−ジ体
２２…通孔
２６…ばね
２７…軸状体
２９…鍔部
４２…突起（凹凸部）
【図１】
0003616231.tif 000002
【図２】
0003616231.tif 000003
【図３】
0003616231.tif 000004
【図４】
0003616231.tif 000005
【図５】
0003616231.tif 000006
【図６】
0003616231.tif 000007
【図７】
0003616231.tif 000008
【図８】
0003616231.tif 000009
【図９】
0003616231.tif 000010
【図１０】
0003616231.tif 000011
【図１１】
0003616231.tif 000012
【図１２】
0003616231.tif 000013